(57)【要約】      （修正有）【課題】 携帯または保管のためにカメラを簡単に収納でき、かつ撮影用レンズ部を有するカメラ前面とシャッターを設けたカメラ上面を露出させる撮影状態に簡単にすることができ、しかもカメラを任意の傾斜位置で支持するカメラスタンドとして使用可能にする。【解決手段】着脱自在に収納するカメラケース１で、底面を覆う底面部材３５と、カメラ前面２ａの下方部分を覆う第１前面部材３１と、後面を覆う後面部材３４と、左右側壁３２、３３と、一方の軸支部３２ａ、３３ａを一体形成した第１ケース体３と、前面２ａの上方部分を覆う第２前面部材４１と、上面を覆う上面部材４４と、左右面を覆う左右面部材４２、４３と、第１ケース体３を閉位置から約２７０度以上の角度となる開位置まで軸支する他方の軸支部４２ａ、第２ケース体４と、各軸支部の回動中心から同心円弧状となるように形成される係止溝部４２ｂ、４３ｂと、係止爪部３２ｂとを備える。【選択図】図２
2005275079.tif 000002
【特許請求の範囲】
【請求項１】
カメラを着脱自在に収納するために、カメラ底面を覆う底面部材と、撮影用レンズ部を有するカメラ前面の下方部分を覆う第１前面部材と、カメラ後面を覆う後面部材と、前記第１前面部材から前記後面部材にかけて連続形成される左右側壁と、前記左右壁に夫々に設けられる一方の軸支部とを一体形成した第１ケース体と、
前記カメラ前面の上方部分を覆う第２前面部材と、シャッターを設けたカメラ上面を覆う上面部材と、カメラ左右面を覆う左右面部材と、前記左右面部材に設けられるとともに前記第１ケース体を閉位置から約２７０度以上の角度となる開位置まで軸支する他方の軸支部とを一体形成した第２ケース体と、
前記各軸支部の回動中心から同心円弧状となるように前記左右壁または前記左右面部材に形成される係止溝部と、
前記係止溝部に係止するように前記左右面部材または前記左右壁に形成される係止爪部と、を備えることを特徴とするカメラケース。
【請求項２】
前記撮影用レンズ部は、前記カメラ前面の角部上方から前記カメラ上面と前記カメラ右面にかけて一部が突出形成されるデジタルカメラであり、前記デジタルカメラの収納のために前記カメラ上面部材と前記後面部材とに、前記撮影用レンズ部の前記一部を収納するための形状部を夫々形成したことを特徴とする請求項１に記載のカメラケース。
【請求項３】
前記第１ケース体の前記第１前面部材または前記後面部材に、前記デジタルカメラに使用される記憶媒体を着脱自在に収納するための記憶媒体収納部を設けたことを特徴とする請求項２に記載のカメラケース。
【請求項４】
前記第１ケース体と前記第２ケース体は、透明、光透過性または着色された所定樹脂材料を用いて一体樹脂射出成形され、前記各軸支部と前記係止溝部と前記係止爪部は前記左右壁または前記左右面部材が弾性変形することで組み付けられることを特徴とする請求項１乃至３のいずれか１項に記載のカメラケース。
【請求項５】
前記第１ケース体または前記第２ケース体の一方または双方の内側面において、衝撃緩衝部材をさらに敷設したことを特徴とする請求項１乃至４のいずれか１項に記載のカメラケース。
【発明の詳細な説明】
【技術分野】
【０００１】
本発明は、カメラを保護するためのカメラケースに関するものである。
【背景技術】
【０００２】
使用時に常に持ち運ばれるカメラを大切に扱うためには、カメラをカメラケースの中に収納しておき、撮影を行うときにカメラをカメラケースから取り出して撮影を行い、撮影後に再びカメラケースに収納すると良いことが知られている。
【０００３】
カメラケースが革または人造レザー製などのソフトカメラケースの場合には、カメラ本体側のカメラ下面の固定用ねじ穴に対して螺合される固定用ねじを用いて、ファインダーの覗き穴を設けた本体ケースを固定してカメラ本体側を覆う状態にしておき、撮影用レンズ部を有するカメラ前面を覆うケースカバーのみを取り外し撮影を可能にすることで、使用者がカメラ全体をカメラケースから取り出す面倒な操作を解消するようにしている。
【０００４】
また、撮影レンズを保護する部材を設け、この部材を移動させることにより撮影レンズをカメラ本体内に沈胴させて収納し、バッグなどに入れるときに嵩張らずかつレンズを保護することのできるレンズ付きフィルムカメラも提案されている。（特許文献１）
さらに、軽量かつ操作性に優れ、低コストで電子機器を雨水や塵埃から簡易に保護できる電子機器用ケースも提案されている。（特許文献２）
そして、ＣＤ（コンパクトディスク）を収納するケース本体の蓋部を、ケース本体に対して２７０度以上の角度で回動できるように軸支し、２７０度以上の傾斜角度位置で蓋部を停止させておき、ケース本体を載置面として蓋部において写真などを飾るように構成されたフォトスタンドについても提案されている。（特許文献３）
【特許文献１】特開平１１−０８４４６７号公報。
【特許文献２】特開２０００−２８４３５８号公報。
【特許文献３】実開平６−４７１８７号公報。
【発明の開示】
【発明が解決しようとする課題】
【０００５】
しかし、上記の特許文献１によれば撮影レンズを保護する部材を移動させることで撮影レンズが自動的にカメラ本体内に沈胴されて収納できる構成であることから、市販のカメラに使用される汎用のカメラケースを使用することはできない。
【０００６】
また、特許文献２によれば、低コストで電子機器を雨水や塵埃から簡易に保護するために電子機器の外周面を保護するケース体を設けたものであることから、このケース体にカメラを収納すれば使用時に常に持ち運ばれるカメラを大切に扱うことができるが、カメラスタンドとして使用することはできない。
【０００７】
同様に、特許文献３によれば、ＣＤ収納のためのケースであるので、蓋部の厚みが不足することから、カメラスタンドとして使用することはできない。
【０００８】
一方、近年のカメラは銀塩フィルムカメラからデジタルカメラに移行している。このデジタルカメラによれば撮影用レンズ部を有するカメラ前面と、シャッターを配置したカメラ上面のみを露出させることができれば、撮影を行うことができる。
【０００９】
しかしながら、例えばカメラ内蔵の自動シャッターを機能させて自分自身を撮影する場合において、カメラを所定傾斜角度の位置で安定して支持するためには、別途準備される三脚をカメラ下面の固定用ねじ穴に対して固定用ねじを用いて取り付ける作業を行う必要があり面倒となる問題がある。
【００１０】
したがって、本発明は上記の問題点に鑑みて成されたものであり、例えば持ち運びのためにカメラを簡単に収納でき、かつ撮影用レンズ部を有するカメラ前面とシャッターを設けたカメラ上面を露出させる撮影状態にでき、しかもカメラを任意の傾斜位置で支持するカメラスタンドとして使用することのできるカメラケースの提供を目的としている。
【課題を解決するための手段】
【００１１】
上述した課題を解決し、目的を達成するために、本発明のカメラケースによれば、カメラを着脱自在に収納するために、カメラ底面を覆う底面部材と、撮影用レンズ部を有するカメラ前面の下方部分を覆う第１前面部材と、カメラ後面を覆う後面部材と、前記第１前面部材から前記後面部材にかけて連続形成される左右側壁と、前記左右壁に夫々に設けられる一方の軸支部とを一体形成した第１ケース体と、前記カメラ前面の上方部分を覆う第２前面部材と、シャッターを設けたカメラ上面を覆う上面部材と、カメラ左右面を覆う左右面部材と、前記左右面部材に設けられるとともに前記第１ケース体を閉位置から約２７０度以上の角度となる開位置まで軸支する他方の軸支部とを一体形成した第２ケース体と、前記各軸支部の回動中心から同心円弧状となるように前記左右壁または前記左右面部材に形成される係止溝部と、前記係止溝部に係止するように前記左右面部材または前記左右壁に形成される係止爪部とを備えることを特徴としている。
【００１２】
また、前記撮影用レンズ部は、前記カメラ前面の角部上方から前記カメラ上面と前記カメラ右面にかけて一部が突出形成されるデジタルカメラであり、前記デジタルカメラの収納のために前記カメラ上面部材と前記後面部材とに、前記撮影用レンズ部の前記一部を収納するための形状部を夫々形成したことを特徴としている。
【００１３】
また、前記第１ケース体の前記第１前面部材または前記後面部材に、前記デジタルカメラに使用される記憶媒体を着脱自在に収納するための記憶媒体収納部を設けたことを特徴としている。
【００１４】
また、前記第１ケース体と前記第２ケース体は、透明、光透過性または着色された所定樹脂材料を用いて一体樹脂射出成形され、前記各軸支部と前記係止溝部と前記係止爪部は前記左右壁または前記左右面部材が弾性変形することで組み付けられることを特徴としている。  
そして、前記第１ケース体または前記第２ケース体の一方または双方の内側面に、衝撃緩衝部材をさらに敷設したことを特徴としている。
【発明の効果】
【００１５】
本発明のカメラケースによれば、例えば携帯または保管のためにカメラを簡単に収納でき、かつ撮影用レンズ部を有するカメラ前面とシャッターを設けたカメラ上面を露出させる撮影状態に簡単にすることができ、しかもカメラを任意の傾斜位置で支持するカメラスタンドとして使用することができる。
【発明を実施するための最良の形態】
【００１６】
以下に本発明の好適な一実施形態について、添付図面を参照して説明する。
【００１７】
ここで、以下の実施形態ではカメラとして固定焦点レンズを設けた撮影用レンズ部を角部に有するカメラ前面と、液晶を配置したカメラ後面と、シャッターを配置したカメラ上面とを備えた小型偏平箱型のデジタルカメラに使用されるカメラケースについて主に述べるが、このように構成されるデジタルカメラに限定されず、撮影用レンズ部が沈胴するタイプであって撮影レンズが３倍光学ズーム系を備えるデジタルカメラまたは、銀塩フィルムカメラであって薄い機種にも適用可能であることは言うまでもない。
【００１８】
図１(ａ)は、デジタルカメラ２をカメラ前面側から見た外観斜視図であり、(ｂ)はデジタルカメラ２をカメラ後面２ｂ側から見た図である。
【００１９】
本図において、このデジタルカメラ２は固定焦点の撮影用レンズ部６０を図示のように右角部分に設けた形状部２ｋを有しており、デザイン的に特徴のあるデジタルカメラ２となっている。このデジタルカメラ２はカメラ前面２ａと、図示のような大型の液晶表示部４０と操作ダイヤル７０とを備えたカメラ後面２ｂと、シャッター５０を設けたカメラ上面２ｃと、カメラ左右面２ｅ、２ｆとを夫々設けた偏平箱状に形成されている。このため携帯性がきわめて良好になっている。また、撮影用レンズ部６０は、図示のような外周面６０ｆを設けることでカメラ前面２ａから突出形成されて、必要な焦点距離を確保している。
【００２０】
また、撮影用レンズ部６０の左側のカメラ前面２ａにはファインダー窓６１とストロボ６２とが配置されている。このように構成されるデジタルカメラ２を使用して室内で撮影する場合において、室内照明器具などによる光量が依然として不足するとファイダー内に露出アンダーの表示がされ、シャッター５０の押圧動作と同期してストロボ６２が自動発光して、被写体全体の照明を行うように構成されている。このストロボの発光が不要なときには、発光を解除する機能も備えている。
【００２１】
さらに、カメラ左面２ｅとカメラ後面２ｂの角部にはストラップ９９を保持するためのフック部７１が形成されている。このデジタルカメラ２は、カメラ底面２ｄの略中央に破線図示の固定用ねじ穴４９を設けており、例えば三脚に固定するために螺合される固定用ねじを用いて固定可能にしている。このカメラ底面２ｄの奥行き寸法は非常に小さいので自立できない場合もある。
【００２２】
図２は、本発明の一実施形態であるカメラケース１の立体分解図であって、着脱自在に設けられるデジタルカメラ２とともに示した図である。
【００２３】
本図において、このカメラケース１はアクリル樹脂、ポリカーボネイト樹脂などに代表される透明樹脂材料や、ＡＢＳ樹脂などの光透過性の樹脂材料や所望の顔料で着色された所定樹脂材料を用いて一体的に樹脂射出成形される第１ケース体３と第２ケース体４として準備され、これらを図示のように互いに組み付けることで完成される。
【００２４】
この第１ケース体３は、上記のデジタルカメラ２の下方部分を図示のように着脱自在に収納する容積を形成するために、カメラ底面２ｄを覆うために若干広い面積を有する底面部材３５と、撮影用レンズ部６０を有するカメラ前面２ａの下方部分を覆うための第１前面部材３１と、カメラ後面２ｂを覆うために若干広い面積の後面部材３４と、第１前面部材３１から後面部材３４にかけて図示のように斜めに連続形成される左右側壁３２、３３とを一体成形している。
【００２５】
そして、これらの左右壁３２、３３に夫々において一方の軸支部となる軸部３２ａ、３３ａがさらに一体成形されている。また、軸部３２ａ、３３ａの上方には係止爪部３２ｂ、３３ｂ（不図示）が弾性変形可能な状態で一体成形されている。
【００２６】
一方、第２ケース体４は、組立後にデジタルカメラ２を収容した状態において、第１前面部材３１では覆うこのできなかったカメラ前面２ａの上方部分を覆う面積を有する第２前面部材４１と、シャッター５０を設けたカメラ上面２ｃを覆うための上面部材４４と、カメラ左右面２ｅ、２ｆを覆うための左右面部材４２、４３と、左右面部材４２、４３に設けられるとともに第１ケース体３を後述する閉位置から約２７０度以上の角度となる開位置まで軸支する他方の軸支部となる孔部４２ａ、４３ａとを一体成形している。
【００２７】
そして、孔部４２ａ、４３ａの中心から同心円弧状となるように左右面部材４２、４３の裏面側において複数の段付きの係止溝部４２ｂ、４３ｂが成形されている。
【００２８】
また、左右面部材４２、４３の縁部４２ｆ、４３ｆは、第２前面部材４１から夫々同じ高さ寸法を有しており使用状態において後述するように床面上への載置面となるように構成されている。さらに、上面部材４４の縁部４４ｆも第２前面部材４１から左右面部材４２、４３の縁部４２ｆ、４３ｆと夫々同じ高さ寸法を有するか、それらより低い高さ寸法を有している。さらに、上面部材４４の縁部４４ｆの略中央には切り欠き部４４ａが形成されており、指先が入るようにして後面部材３４を引き出せるようにしている。
【００２９】
上記のように各ケース体３、４を樹脂射出成形することで左右面部材４２、４３が弾性変形するので、軸部３２ａ、３３ａを孔部４２ａ、４３ａに挿入することができる。また、孔部の中心から同心円弧状となるように左右面部材４２、４３の裏面側に形成される係止溝部４２ｂ、４３ｂと、第１ケース体３の左右壁３２、３３に形成される係止爪部３２ｂ、３３ｂとの相互の位置関係も同様に決定される。
【００３０】
以上のようにして第１ケース体３と第２ケース体４とを回動自在に組み立て後に、孔部４２ａ、４３ａの直径寸法より大きなフランジ部を有するねじ４５、４５を、軸部３２ａ、３３ａのめくら孔に対して螺合することで確実な脱落防止が図れることになる。ここで、例えばオーディオカセットテープケース、ＣＤケースに見られるようにねじはなくとも良い。
【００３１】
さらに、上記のようにデジタルカメラ２は撮影用レンズ部６０を、カメラ前面２ａの右角部上方からカメラ上面２ｃとカメラ右面２ｆにかけて一部が突出形成されることから、このデジタルカメラ２の収納のためにカメラ上面部材４１と後面部材３４において、撮影用レンズ部６０の形状部２ｋを収納するための形状部４１ｋ、３４ｋが夫々形成されている。この形状部により使用者は前後関係を間違えることなくデジタルカメラ２を収容することが可能となる。
【００３２】
また、第１ケース体３の第１前面部材３１または後面部材においてデジタルカメラの記憶媒体として着脱自在に設けられる、二点鎖線図示の例えばＳＤメモリカード８０を着脱自在に収納するための記録媒体収納部３１ａを設けても良く、この場合には予備のＳＤメモリカード６０を携帯することができるようになる。
【００３３】
図３(ａ)から(ｃ)は、完成後のカメラケース１の使用状態を示すために第２ケース体４を破断して示した側面図である。本図において、既に説明済みの構成部品については同様の符号を附して説明を割愛すると、先ず図３(ａ)において、カメラケース１は空であり、第１ケース体３は第２ケース体４に対して閉位置になっている。
【００３４】
この状態から、図３(ｂ)に図示のように第１ケース体３を下にして、第２ケース体４のカメラ上面部材４１を把持して矢印方向に約９０度分開くことで一点鎖線図示のデジタルカメラ２を、図２で示したように収容することができる。
【００３５】
続いて、図３(ｃ)に図示のように第２ケース体４をさらに矢印θ方向に２７０度以上の角度となる開位置まで開くと、上記の各軸支部の係止溝部４２ｂ、４３ｂと、係止爪部３２ｂ、３３ｂとが係止する状態となることで、任意の角度位置で停止できる。以上でカメラスタンドとして使用可能な状態となる。
【００３６】
そこで、図４(ａ)から(ｃ)の使用状態を示す側面図において、左右面部材４２、４３の縁部４２ｆ、４３ｆを下にして載置床面Ｆ上に置く。これに続き、第２ケース体４を矢印θ１方向の開位置までさらに開くことで、各軸支部の係止溝部４２ｂ、４３ｂと、係止爪部３２ｂ、３３ｂとが係止する。このため、任意の角度位置で停止できる。したがって、デジタルカメラ２を例えば床面Ｆに対して６０度傾斜した状態で保持できることとなる。そこで、この状態から例えば自動シャッター５０を機能させて自分自身を撮影することができるようになる。
【００３７】
同様に、図４(ｂ)、(ｃ)に図示のように、デジタルカメラ２を床面に対して７０度または直角にした状態で保持できることとなる。
【００３８】
使用後には、以上説明した操作とは逆の手順を行うことでデジタルカメラ２を保護することができる。また、上面部材４４の縁部４４ｆが第２前面部材４１から左右面部材４２、４３の縁部４２ｆ、４３ｆと夫々同じ高さ寸法を有する場合には、３箇所が載置面となるのでより安定して保持することが可能となる。
【００３９】
次に、図５(ａ)は、本発明の別実施形態であるカメラケース１の側面図、(ｂ)は使用状態を示す外観斜視図である。
【００４０】
本図において、既に説明済みの構成部品については同様の符号を附して説明を割愛すると、第１ケース体３の後面部材３４は上記の形状部３４ｋが形成されない直線状に形成されている。このため、図５(ｂ)に示すようにデジタルカメラ２の液晶表示部４０が表面に表れるようにして収納できることとなる。すなわち前後無関係に収容できる。また、ＳＤメモリカード８０は図示のように撮影用レンズ部６０の下方位置において収納される。さらに、第２ケース体４の内側面には、発泡ウレタンラバー等の衝撃緩衝部材９０がさらに敷設されている。
【００４１】
以上の使用状態からデジタルカメラ２を用いて撮影した写真を印刷するために、卓上に置かれたパソコンに例えばＵＳＢコードを介して接続しその後、印刷用アプリソフトを起動し、撮影済み画像データをパソコンに送ることでパソコンに接続されたプリンタ装置から写真を出力することができるようになる。このとき、デジタルカメラ２の液晶表示部４０を見ながら所望の写真の印刷操作を行うこととなるが、デジタルカメラ２が上記のように任意の角度で傾斜しているので非常に見やすくなる。
【００４２】
また、インターネットに接続したパソコンで自分自身の顔写真をデジタルカメラ２で撮影して相手側に送信する場合には、図４で示したように撮影用レンズ部６０を所定角度にセットして、自分側に向けた状態でデジタルカメラ２の自動シャッター５０を機能させて撮影する。このときカメラの手ぶれが発生する危険性が全く無くなる。また、パソコンを使用せずにプリンタ装置に対して直にデジタルカメラを接続して印刷を行う場合にもデジタルカメラを安定して保持させて使用することができる。
【００４３】
また、携帯時には衝撃緩衝部材９０の衝撃吸収作用でデジタルカメラ２を思わぬ外力から保護することができる。
【００４４】
尚、本発明は上記の構成に限定されず、例えば孔部４２ａ、４３ａを第１ケース体３の左右壁に形成し、軸部３２ａ、３３ａを第２ケース体４の左右面部材４２、４３に形成しても良く、係止溝部と係止爪についても同様に逆の面に設けても良い。さらに、使用材料は樹脂材料が一般的であるが、主要面を木材、金属製、貴金属製、ダンボール製として一部を樹脂部品製としたハイブリッド構成でも良い。
【図面の簡単な説明】
【００４５】
【図１】(ａ)はデジタルカメラ２をカメラ前面側から見た外観斜視図であり、(ｂ)はデジタルカメラ２をカメラ後面２ｂ側から見た図である。
【図２】本発明の一実施形態であるカメラケース１の立体分解図であって、着脱自在に設けられるデジタルカメラ２を一点鎖線で示した図である。
【図３】(ａ)から(ｃ)は、完成後のカメラケース１の使用状態を示すために第２ケース体４を破断して示した側面図である。
【図４】(ａ)から(ｃ)は使用状態を示す側面図である。
【図５】(ａ)は本発明の別実施形態であるカメラケース１の側面図、(ｂ)は使用状態を示す外観斜視図である。
【符号の説明】
【００４６】
１  カメラケース
２  デジタルカメラ
３  第１ケース体
４  第２ケース体
【図１】
2005275079.tif 000003
【図２】
2005275079.tif 000004
【図３】
2005275079.tif 000005
【図４】
2005275079.tif 000006
【図５】
2005275079.tif 000007